(57)【要約】【課題】住宅のインターホンシステムを含む複数種類の表示端末に情報を表示させる情報配信システムにおいて、端末に応じた画面の表示を可能とすると共に配信対象の情報の管理負担を軽減すること。【解決手段】インターホン親機４を含む情報表示端末に対して情報を配信する情報配信サーバ１であって、ブラウザ識別子を含む配信要求を取得し、コンテンツに対してブラウザ識別子毎に配信が有効であるか無効であるかが関連付けられたページテーブルを参照し、配信要求に含まれるブラウザ識別子に対して、配信が有効であることが関連付けられているコンテンツを含む表示情報を生成して送信することを特徴とする。【選択図】図１７
2016144146.tif 000002
【特許請求の範囲】
【請求項１】
住宅内に設置されたインターホン端末を含む端末であって、配信された情報に基づいて情報を表示する情報表示プログラムを有する情報表示端末に対して情報を配信する情報配信装置であって、
情報を前記情報表示端末に表示させるための表示情報の要求であって、前記情報表示プログラムを識別するプログラム識別子を含む配信要求を受信する配信要求受信部と、
前記表示情報に含まれ得る複数種類の項目情報について、前記プログラム識別子毎に配信が有効であるか無効であるかが関連付けられた配信判断情報を記憶している配信判断情報記憶部と、
受信された前記配信要求に含まれる前記プログラム識別子に対して、前記配信判断情報において配信が有効であることが関連付けられている前記項目情報を含む前記表示情報を生成する表示情報生成部と、
生成された前記表示情報を前記配信要求の要求元に送信する情報配信部とを含むことを特徴とする情報配信装置。
【請求項２】
前記項目情報を表示するために用いられる構成情報について、前記プログラム識別子毎に情報の取得先が関連付けられた取得先情報を記憶している取得先情報記憶部を含み、
前記表示情報生成部は、配信要求に含まれる前記プログラム識別子に対応して関連付けられている取得先から前記構成情報を取得して前記表示情報を生成することを特徴とする請求項１に記載の情報配信装置。
【請求項３】
前記配信要求は、前記インターホン端末が設置された住宅を識別する情報を含み、
前記配信判断情報は、前記住宅を識別する情報毎に、前記複数種類の項目情報について配信が有効であるか無効であるかが関連付けられた情報を含むことを特徴とする請求項１または２に記載の情報配信装置。
【請求項４】
前記配信判断情報は、前記プログラム識別子と前記住宅を識別する情報との組み合わせ毎に、前記複数種類の項目情報について配信が有効であるか無効であるかが関連付けられた情報であることを特徴とする請求項３に記載の情報配信装置。
【請求項５】
前記配信要求は、前記インターホン端末が設置された住宅を識別する情報を含み、
前記取得先情報は、前記住宅を識別する情報毎に情報の取得先が関連付けられた情報を含むことを特徴とする請求項２に記載の情報配信装置。
【請求項６】
前記取得先情報は、前記プログラム識別子と前記住宅を識別する情報との組み合わせ毎に情報の取得先が関連付けられた情報であることを特徴とする請求項５に記載の情報配信装置。
【請求項７】
前記住宅は集合住宅に含まれる１つの区分であり、
前記住宅を識別する情報は、前記集合住宅を識別する情報であることを特徴とする請求項３乃至６いずれか１項に記載の情報配信装置。
【請求項８】
前記住宅は集合住宅に含まれる１つの区分であり、
前記住宅を識別する情報は、前記区分を識別する情報であることを特徴とする請求項３乃至６いずれか１項に記載の情報配信装置。
【請求項９】
住宅内に設置されたインターホン端末を含む情報表示端末に対して情報を配信する情報配信装置及び配信された情報に基づいて情報を表示する情報表示プログラムを有する前記インターホン端末を含む情報配信システムであって、
情報を前記情報表示端末に表示させるための表示情報の要求であって、前記情報表示プログラムを識別するプログラム識別子を含む配信要求を受信する配信要求受信部と、
前記表示情報に含まれ得る複数種類の項目情報について、前記プログラム識別子毎に配信が有効であるか無効であるかが関連付けられた配信判断情報を記憶している配信判断情報記憶部と、
受信された前記配信要求に含まれる前記プログラム識別子に対して、前記配信判断情報において配信が有効であることが関連付けられている前記項目情報を含む前記表示情報を生成する表示情報生成部と、
生成された前記表示情報を前記配信要求の要求元に送信する情報配信部とを含むことを特徴とする情報配信システム。
【請求項１０】
住宅内に設置されたインターホン端末を含む端末であって、配信された情報に基づいて情報を表示する情報表示プログラムを有する情報表示端末に対して情報を配信する情報配信方法であって、
情報を前記情報表示端末に表示させるための表示情報の要求であって、前記情報表示プログラムを識別するプログラム識別子を含む配信要求を受信し、
前記表示情報に含まれ得る複数種類の項目情報について、前記プログラム識別子毎に前記表示処理部識別子毎に配信が有効であるか無効であるかが関連付けられた情報である配信判断情報を参照し、
受信された前記配信要求に含まれる前記プログラム識別子に対して、前記配信判断情報において配信が有効であることが関連付けられている前記項目情報を含む前記表示情報を生成し、
生成された前記表示情報を前記配信要求の要求元に送信することを特徴とする情報配信方法。
【請求項１１】
住宅内に設置されたインターホン端末を含む情報表示端末に対して情報を配信する情報配信装置及び前記インターホン端末を含む情報配信システムにおいて用いられるインターホン端末であって、
表示装置に情報を表示させるための表示処理部と、
前記表示処理部を識別する表示処理部識別子を含む配信要求を前記情報配信装置に送信する配信要求部と、
前記配信要求に応じて、前記表示処理部識別子に対応して生成された表示情報を取得して前記表示装置に情報を表示させる表示処理部とを含み、
前記表示処理部は、前記表示装置に対する操作に応じて、表示された情報の濃度を調整することによって前記表示装置に対する操作が行われたことを通知することを特徴とするインターホン端末。
【発明の詳細な説明】
【技術分野】
【０００１】
本発明は、情報配信装置、情報配信システム、情報配信方法及びインターホン端末に関する。
【背景技術】
【０００２】
住宅のインターホンシステムにおいては、住宅内にインターホン親機が設けられると共に住宅の入り口にインターホン子機が設けられ、子機と親機との通信によって住宅の居住者と来訪者との対話が可能となる。また、来訪者の確認のため、子機側に設けられたカメラによって撮影された映像が親機側に設けられた表示装置に表示される機能が用いられることもある。
【０００３】
また、親機側に設けられた表示装置を有効に活用するため、インターホン親機に様々な情報を表示させるための機能が設けられる場合がある。このように構成されたインターホン親機のユーザインタフェースとしての機能を活用するため、インターホン親機に様々な情報を表示させることが提案されている（例えば、特許文献１参照）。
【発明の概要】
【発明が解決しようとする課題】
【０００４】
インターホン親機に表示させる情報の例として、例えば住宅における電気、ガス、水道等の使用料や、マンション等の集合住宅における共有設備の予約情報等が考えられる。また、住宅が含まれる地域に対して発信される情報を表示することにより居住者の利便性を向上することも考えられる。
【０００５】
このような情報の配信、閲覧機能は、インターホン親機に限らず、一般的なＰＣ（Ｐｅｒｓｏｎａｌ  Ｃｏｍｐｕｔｅｒ）やスマートフォン、タブレット端末等のモバイル端末からも利用可能に構成されることにより、ユーザの利便性を向上することが出来る。従って、システムの構築に際しては、様々な端末からアクセス可能な情報配信の方式を構築することが好ましい。
【０００６】
他方、配信された情報をインターホン親機で閲覧する場合、ＰＣで閲覧する場合、モバイル端末で閲覧する場合、夫々において、端末の画面サイズや操作性の差異により、ユーザにとって利便性の高い表示画面が異なる。従って、上述した情報配信システムにおいては、情報の配信先の端末に応じて異なる表示情報が提供されることが好ましい。
【０００７】
例えば、ＰＣやモバイル端末のようにウェブサイトの表示に適した端末の場合には、より多くの情報をユーザに伝えるために、画面上に多くの情報を含めることが求められる。他方、インターホン親機のように、ハードウェア性能や操作性が限定された端末の場合には、最低限の情報のみに限定することによって可能な限り情報量を削減し、インタラクティブ性の高い表示を行うことが求められる。このような端末による表示の変更は、夫々の端末がアクセスするアクセス先の変更や、夫々の端末に応じたウェブページを用意することによって実現することが可能である。
【０００８】
しかしながら、そのようなシステムの場合、管理するべき情報ページが多種になり、管理負担が増大する。また、表示させるべき情報の種類、即ちコンテンツが増えた場合、増えたコンテンツを追加するために情報ページを更新することとなる。その場合においても端末毎の情報ページを設ける場合には、管理負担が倍増することとなる。
【０００９】
本発明は、このような課題を解決するためになされたものであり、住宅のインターホンシステムを含む複数種類の表示端末に情報を表示させる情報配信システムにおいて、端末に応じた画面の表示を可能とすると共に配信対象の情報の管理負担を軽減することを目的とする。
【課題を解決するための手段】
【００１０】
上記課題を解決するために、本発明の一態様は、住宅内に設置されたインターホン端末を含む端末であって、配信された情報に基づいて情報を表示する情報表示プログラムを有する情報表示端末に対して情報を配信する情報配信装置であって、情報を前記情報表示端末に表示させるための表示情報の要求であって、前記情報表示プログラムを識別するプログラム識別子を含む配信要求を受信する配信要求受信部と、前記表示情報に含まれ得る複数種類の項目情報について、前記プログラム識別子毎に配信が有効であるか無効であるかが関連付けられた配信判断情報を記憶している配信判断情報記憶部と、受信された前記配信要求に含まれる前記プログラム識別子に対して、前記配信判断情報において配信が有効であることが関連付けられている前記項目情報を含む前記表示情報を生成する表示情報生成部と、生成された前記表示情報を前記配信要求の要求元に送信する情報配信部とを含むことを特徴とする情報配信装置。
【発明の効果】
【００１１】
本発明によれば、住宅のインターホンシステムを含む複数種類の表示端末に情報を表示させる情報配信システムにおいて、端末に応じた画面の表示を可能とすると共に配信対象の情報の管理負担を軽減することができる。
【図面の簡単な説明】
【００１２】
【図１】本発明の実施形態に係るシステムの運用形態を示す図である。
【図２】本発明の実施形態に係る情報処理装置のハードウェア構成を示すブロック図である。
【図３】本発明御実施形態に係るシステムの全体動作を示すシーケンス図である。
【図４】本発明の実施形態に係る情報配信サーバの機能構成を示すブロック図である。
【図５】本発明の実施形態に係るアカウント情報の例を示す図である。
【図６】本発明の実施形態に係る配信情報の例を示す図である。
【図７】本発明の実施形態に係る管理情報の例を示す図である。
【図８】本発明の実施形態に係るインターホン親機の機能構成を示すブロック図である。
【図９】本発明の実施形態に係るインターホン親機において記憶されている情報の例を示す図である。
【図１０】本発明の実施形態に係るインターホン親機における画面表示の例を示す図である。
【図１１】本発明の実施形態に係るインターホン親機における画面表示の例を示す図である。
【図１２】本発明の実施形態に係るインターホン親機における画面表示の例を示す図である。
【図１３】本発明の実施形態に係るインターホン親機における画面表示の例を示す図である。
【図１４】本発明の実施形態に係るインターホン親機における画面表示の例を示す図である。
【図１５】本発明の実施形態に係るインターホン親機における画面表示の例を示す図である。
【図１６】本発明の実施形態に係るクライアント端末における画面表示の例を示す図である。
【図１７】本発明御実施形態に係る表示情報の生成動作を示すフローチャートである。
【図１８】本発明の実施形態に係る配信要求に含まれる情報の例を示す図である。
【図１９】本発明の実施形態に係るアカウント情報の構成を示す図である。
【図２０】本発明の実施形態に係るページテーブルの例を示す図である。
【図２１】本発明の実施形態に係るパーツテーブルの例を示す図である。
【図２２】本発明の実施形態に係るページテーブルの他の例を示す図である。
【図２３】本発明の実施形態に係るページテーブルの他の例を示す図である。
【図２４】本発明の実施形態に係るパーツテーブルの例を示す図である。
【図２５】本発明の実施形態に係るパーツテーブルの例を示す図である。
【発明を実施するための形態】
【００１３】
以下、図面を参照して、本発明の実施形態について説明する。本実施形態においては、マンション等の集合住宅に設置されるインターホンにおいて住宅内に設置されるインターホン親機に情報を配信する情報配信システムを例として説明する。そのようなシステムにおいて、インターホン親機以外の情報端末にも情報を配信することが可能であり、情報の配信先の端末に応じた画面を効率的に配信することが本実施形態に係る要旨の１つである。
【００１４】
図１は、本実施形態に係る情報配信システムの運用形態を示す図である。図１に示すように、本実施形態に係るシステムは、情報配信サーバ１、情報提供サーバ２、複数のクライアント端末３及びインターホン親機４が、インターネットのような公衆回線を介して接続されて構成されている。
【００１５】
情報配信サーバ１は、クライアント端末３及びインターホン親機４に対してネットワークを介して情報を配信する情報配信装置である。情報配信サーバ１が配信する情報は、情報配信サーバ１において管理されている情報の他、情報提供サーバ２から提供される情報に基づいて生成された画面表示のための情報である。これらの情報が配信対象の情報であり、上述したように複数種類の情報が含まれる。
【００１６】
クライアント端末３は、情報配信サーバ１から配信される情報を表示するための一般的な情報処理端末であり、図１に示すようにＰＣ（Ｐｅｒｓｏｎａｌ  Ｃｏｍｐｕｔｅｒ）やスマートフォン、タブレット端末によって実現される。クライアント端末３が情報表示端末として用いられる。クライアント端末３には一般的なウェブブラウザがインストールされており、情報配信サーバ１から配信された情報はウェブブラウザを介してクライアント端末３の表示部に表示される。
【００１７】
インターホン親機４は、インターホンシステムが運用される集合住宅における各住居に設置される情報端末であり、専用回線を介して各住居の入り口や集合住宅の入り口に設置されたインターホン子機と通話が可能である。インターホン親機４がインターホン端末として用いられる。また、インターホン親機４は、インターネット等の公衆回線を介して情報配信サーバ１から情報を取得し、表示部に表示させる。
【００１８】
インターホン親機４にも、クライアント端末３のようにウェブブラウザと同様の機能が設けられており、情報配信サーバ１から配信された情報はウェブブラウザの機能によりインターホン親機４において表示部に表示される。
【００１９】
次に、本実施形態に係る情報配信サーバ１、情報提供サーバ２、複数のクライアント端末３及びインターホン親機４等の情報処理装置のハードウェア構成について図２を参照して説明する。
【００２０】
図２に示すように、本実施形態に係る情報処理装置は、一般的なサーバやＰＣ（Ｐｅｒｓｏｎａｌ  Ｃｏｍｐｕｔｅｒ）等と同様の構成を含む。即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２１】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２２】
Ｉ／Ｆ５０は、バス８０と各種のハードウェアやネットワーク等を接続し制御する。ＬＣＤ６０は、ユーザが情報処理装置の状態を確認するための表示装置であり、視覚的ユーザインタフェースとして用いられる。操作部７０は、キーボードやマウス等、ユーザが情報処理装置に情報を入力するためのユーザインタフェースである。尚、サーバとして運用される情報配信サーバ１及び情報提供サーバ２は、これらのユーザインタフェースは省略可能である。
【００２３】
このようなハードウェア構成において、ＲＯＭ３０に格納されたプログラムや、ＨＤＤ４０若しくは図示しない光学ディスク等の記憶媒体からＲＡＭ２０にロードされたプログラムに従ってＣＰＵ１０が演算を行うことにより、ソフトウェア制御部が構成される。このようにして構成されたソフトウェア制御部と、ハードウェアとの組み合わせによって、本実施形態に係る情報配信サーバ１、情報提供サーバ２、複数のクライアント端末３及びインターホン親機４の機能を実現する機能ブロックが構成される。
【００２４】
次に、図１に示すシステム全体の動作について、図３のシーケンス図を参照して説明する。図３に示すように、情報提供サーバ２は定められたタイミングで情報収集を行う（Ｓ３０１）。情報提供サーバ２が収集する情報は、例えばインターホン親機４が設置される住宅における電気、ガス、水道等の使用量、それに伴う料金や、住宅が属する地域の天候に関する情報、地域の公報に関する情報等である。
【００２５】
これに対して、情報配信サーバ１は、予め定められたタイミングにおいて情報提供サーバ２からネットワークを介して情報を取得する（Ｓ３０２）。Ｓ３０２における情報取得処理は、例えば数分毎、数時間毎等、所定期間毎に定期的に実行される。情報配信サーバ１は、情報提供サーバ２から情報を取得すると、内部の記憶媒体において管理している情報を更新する（Ｓ３０３）。
【００２６】
他方、インターホン親機４は、居住者であるユーザの操作に応じて、情報配信サーバ１に対してネットワークを介して情報の配信要求を行う（Ｓ３０４）。Ｓ３０４における情報の配信要求には、情報配信サーバによって提供される情報配信サービスにログインするための認証情報、配信を要求する情報を指定するための識別子等が含まれる。
【００２７】
インターホン親機４から情報の配信要求を受けた情報配信サーバ１においては、配信要求に含まれる認証情報に基づいて認証処理を行った上で、インターホン親機４に対して配信するための情報を生成する（Ｓ３０５）。Ｓ３０５において生成される情報は、上述したようにインターホン親機４に含まれるウェブブラウザ機能によって表示部に画面を表示するための表示情報である。
【００２８】
この際、情報配信サーバ１は、情報の配信要求の要求元を示す情報に基づき、要求元に応じた表示情報を生成する。この機能が、本実施形態に係る要旨の１つである。このようにして配信するべき情報を生成した情報配信サーバ１は、要求元であるインターホン親機４に対してネットワークを介して情報を配信する（Ｓ３０６）。
【００２９】
情報配信サーバ１からネットワークを介して情報の配信を受けたインターホン親機４は、内部に含まれるウェブブラウザの機能により、配信された表示情報に基づく画面を表示部に表示させる（Ｓ３０７）。これにより、居住者がインターホン親機４の画面によって情報を確認することが可能となる。
【００３０】
同様に、クライアント端末３においても、ユーザの操作に応じて情報配信サーバ１に対してネットワークを介して情報の配信要求を行う（Ｓ３０８）。Ｓ３０８における配信要求はＳ３０４における配信要求と概ね同様の処理である。これに対して情報配信サーバ１は、Ｓ３０５、Ｓ３０６と同様の処理を実行する（Ｓ３０９、Ｓ３１０）。
【００３１】
ここで、情報配信サーバ１は上述したように要求元に応じた表示情報を生成するため、Ｓ３０５とＳ３０９とでは異なる表示情報を生成する。その結果、情報の配信を受けたクライアント端末３においては、Ｓ３０７においてインターホン親機４に表示された画面とは異なる画面が表示される（Ｓ３１１）。
【００３２】
このように、情報配信サーバ１が、情報配信の要求元に応じた表示情報を生成して配信することが本実施形態に係る要旨の１つである。これにより、情報配信サーバ１においては、インターホン親機４やクライント端末３等の端末の種類の別に応じた表示情報を予め保持することなく、情報の要求元に応じた表示情報を提供することが可能となる。
【００３３】
次に、情報配信サーバ１の機能構成について図４を参照して説明する。図４に示すように、本実施形態に係る情報配信サーバ１は、コントローラ１００及びネットワークＩ／Ｆ１１０を含む。ネットワークＩ／Ｆ１１０は、情報配信サーバ１がネットワークを介して他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。
【００３４】
コントローラ１００は、図２において説明したようにソフトウェアとハードウェアとの組み合わせによって構成され、情報配信サーバ１の機能を提供する。図４に示すように、コントローラ１００は情報取得部１０１、情報配信部１０２、認証処理部１０３、配信情報ＤＢ１０４、画面生成部１０５、レイアウトＤＢ１０６及び管理情報ＤＢ１０７を含む。
【００３５】
情報取得部１０１は、ネットワークＩ／Ｆ１１０を介して情報提供サーバ２に情報取得要求を行うことにより、Ｓ３０２における情報取得処理を行う。情報取得部１０１は、情報提供サーバ２から取得した情報を配信情報ＤＢ１０４に記憶させる。
【００３６】
情報配信部１０２は、ネットワークを介してＳ３０４やＳ３０８における情報の配信要求を取得し、配信要求に応じて生成された表示情報を要求元に送信する。このため、情報配信部１０２は、ネットワークを介して取得した配信要求を画面生成部１０５に入力する。即ち、情報配信部１０２は、配信要求受信部としても機能する。また、情報配信部１０２は、取得した配信要求に含まれる認証情報を認証処理部１０３に入力して認証処理を要求し、認証処理部１０３の認証結果に基づいて以降の処理を行う。
【００３７】
認証処理部１０３は、情報配信部１０２からの認証処理の要求に基づいて認証処理を行い、その結果を情報配信部１０２に返信する。認証処理部１０３は、図５に示すようなアカウント情報に基づいて認証処理を実行する。図５に示すように、本実施形態に係るアカウント情報は、“ログインＩＤ”及び“パスワード”が関連付けられた情報である。更に、本実施形態に係るアカウント情報に含まれるレコードの一部は、“ログインＩＤ”及び“パスワード”に加えて“ＭＡＣアドレス”が関連付けられた情報である。
【００３８】
クライアント端末３は、Ｓ３０８においてユーザによって入力されたログインＩＤ及びパスワードを情報配信サーバ１に送信する。情報配信サーバ１においては、そのログインＩＤ及びパスワードに基づいて認証処理部１０３が認証処理を実行する。クライアント端末３からの配信要求において用いられるアカウント情報は、図５において“ログインＩＤ”及び“パスワード”のみが関連付けられた情報である。
【００３９】
他方、インターホン親機４は、Ｓ３０４において、インターホン親機４内部に予め格納されているログインＩＤ及びパスワードに加えて、インターホン親機４のＭＡＣアドレスを情報配信サーバ１に送信する。情報配信サーバ１においては、そのログインＩＤ、パスワード及びＭＡＣアドレスに基づいて認証処理部１０３が認証処理を実行する。インターホン親機４からの配信要求において用いられるアカウント情報は、図５において“ログインＩＤ”、“パスワード”及び“ＭＡＣアドレス”が関連付けられた情報である。
【００４０】
インターホン親機４が情報配信サーバ１に配信要求を行う際、ユーザにログインＩＤやパスワードを入力させることは、ユーザの利便性を考慮すると好ましくない。そのため、インターホン親機４においては、内部の記憶媒体に予めログインＩＤ及びパスワードが記憶されている。ここで、インターホン親機４は住居内に設置されており、居住者以外の者が操作することは原則として考えられないため、ログインＩＤ及びパスワードを端末内に記憶させておいてもセキュリティが大きく低下することはない。
【００４１】
更に、本実施形態に係るシステムにおいては、夫々のインターホン親機４からのアクセスに限ってのみ、予め端末内に記憶されたログインＩＤ及びパスワードによる認証を許可するため、ＭＡＣアドレスの確認を合わせて行っている。これにより、セキュリティを保ったままインターホン親機４を操作するユーザの利便性を向上することが出来る。
【００４２】
配信情報ＤＢ１０４は、上述したように情報提供サーバ２から取得された情報を記憶する記憶部である。情報提供サーバ２から取得される情報は、上述したように電気、ガス、水道等の使用量、それに伴う料金や、住宅が属する地域の天候に関する情報、地域の公報に関する情報等である。
【００４３】
図６は、使用量の情報の例を示す図である。図６に示すように、電気、ガス、水道等の使用量の情報は、“使用量”の情報が、その使用量が計測されたタイミングを示す“タイムスタンプ”と関連付けられた情報である。更に、夫々の情報がどの住居の情報であるかを示す識別子となる“ログインＩＤ”と関連付けられている。この他、配信情報ＤＢ１０４には、上述したように、電気、ガス、水道などの使用量に応じた料金の情報や、住宅が属する地域の天候に関する情報、地域の公報等に関する情報が保存される。
【００４４】
画面生成部１０５は、情報配信部１０２から入力された配信要求に基づき、配信要求に応じた表示情報を生成する表示情報生成部である。本実施形態に係る画面生成部１０５は、レイアウトＤＢ１０６に格納されているレイアウトテーブルを参照して、配信要求に含まれる情報に基づいて表示情報を生成する。その際、生成するべき表示情報において必要となる情報を配信情報ＤＢ１０４及び管理情報ＤＢ１０７から取得する。画面生成部１０５の機能が、本実施形態における特徴的な機能の１つである。詳細は後述する。
【００４５】
レイアウトＤＢ１０６は、画面生成部１０５が、表示情報の要求元に応じた表示情報を生成するために参照するテーブル（以降、「レイアウトテーブル」とする）や、レイアウトにおいて用いられるアイコン、画像等の情報を記憶している記憶部である。レイアウトテーブルの内容については後に詳述する。
【００４６】
管理情報ＤＢ１０７は、情報配信サーバ１がクライアント端末３やインターホン親機４に対して配信する情報のうち、情報配信サーバ１において管理されている情報を記憶している記憶部である。管理情報ＤＢ１０７に記憶されている情報は、例えばインターホンシステムが設置される集合住宅の共有施設の予約情報等である。
【００４７】
図７は、本実施形態に係る管理情報の例として、共有施設の予約情報を示す図である。図７に示すように、共有設備の予約情報は“予約ＩＤ”、“使用開始日時”、“使用終了日時”、“使用者ＩＤ”が関連付けられた情報である。“予約ＩＤ”は夫々の予約情報を識別する識別子である。
【００４８】
“使用開始日時”、“使用終了日時”は、夫々の予約における使用開始、終了の日時を示す情報である。“使用者ＩＤ”は、教養設備を予約した利用者を示す識別子であり、図５に示す“ログインＩＤ”に対応する情報である。管理情報ＤＢ１０７は、管理対象の設備毎に図７に示すような情報を記憶している。
【００４９】
次に、インターホン親機４の機能構成について図８を参照して説明する。図８に示すように、本実施形態に係るインターホン親機４は、図２において説明したＬＣＤ６０及び操作部７０に加えて、コントローラ４００及びネットワークＩ／Ｆ４１０を含む。ネットワークＩ／Ｆ４１０は、インターホン親機４がネットワークを介して他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。
【００５０】
コントローラ４００は、図２において説明したようにソフトウェアとハードウェアとの組み合わせによって構成され、インターホン親機４の機能を提供する。図８に示すように、コントローラ４００は情報取得部４０１及びブラウザアプリケーション４０２を含む。
【００５１】
情報取得部４０１は、Ｓ３０４においてネットワークＩ／Ｆ４１０を介して情報配信サーバ１に対して情報の配信要求を行い、Ｓ３０６の処理に応じて情報を取得する。情報取得部４０１は、取得した情報をブラウザアプリケーション４０２に入力する。即ち、情報取得部４０１が配信要求部として機能する。
【００５２】
上述したように、本実施形態に係るインターホン親機４は、Ｓ３０４の配信要求においてログインＩＤ、パスワードに加えて、ＭＡＣアドレスの情報を送信する。それらの情報は、ブラウザアプリケーション４０２によって読み出し可能なようにインターホン親機４内部の記憶媒体に記憶されている。図９は、インターホン親機４内部の記憶媒体に記憶されている情報を示す図である。
【００５３】
ブラウザアプリケーション４０２は、ＰＣ等の一般的な情報処理端末にインストールされるウェブブラウザと同様の機能を有し、情報取得部４０１によって取得された表示情報に基づいてＬＣＤ６０に画面を表示させる。このブラウザアプリケーション４０２や、クライアント端末３において動作するウェブブラウザが、表示処理部として機能する。また、ブラウザアプリケーション４０２は、操作部７０に対するユーザの操作に基づき、情報取得部４０１に対して情報配信サーバ１からの情報の取得を要求する。
【００５４】
次に、インターホン親機４のＬＣＤ６０に表示される画面の例について図１０を参照して説明する。図１０は、情報配信サーバ１から配信される情報ページのトップ画面がＬＣＤ６０に表示された状態のインターホン親機４を示す図である。図１０に示すようにトップ画面にはコンテンツボタン４２１及びインターホンボタン４２２が表示される。
【００５５】
コンテンツボタン４２１は、「電気」、「ガス」、「水道」、「共有設備」、「温度／湿度」、「お知らせ」等の各情報の表示を選択するためのボタンである。夫々の情報が、本実施形態に係るシステムにおいて表示され得る項目情報である。夫々のボタンの部分がタッチ操作されることにより、インターホン親機４は情報配信サーバ１に対して情報を表示するための画面の配信を要求し、配信された情報に基づいて画面を変更する。
【００５６】
図１１は、電気の使用量及び料金について通知が発生している場合のトップ画面の例を示す図である。図１１に示すように、通知が発生したコンテンツボタン４２１の表示が変化することによって、何らかの通知が発生したことがユーザによって認識可能なようにトップ画面が表示される。
【００５７】
図１１に示すように通知が発生したコンテンツボタン４２１の表示が変化したトップ画面は、Ｓ３０５において画面生成部１０５により生成される。画面生成部１０５は、インターホン親機４からの配信要求に応じてトップ画面を生成する際、配信情報ＤＢ１０４に格納されている情報を参照し、夫々のコンテンツボタン４２１に対応した配信情報が通知の必要な状態か否かを判断する。
【００５８】
そして、通知を要する状態だと判断した場合、画面生成部１０５は、その配信情報に対応するコンテンツボタン４２１として、図１０にしめすような標準のものではなく、図１０に示すような通知用のコンテンツボタン４２１が表示されるように表示情報を生成する。
【００５９】
図１２は、通知が発生したコンテンツボタン４２１をユーザがタッチ操作した場合のトップ画面の例を示す図である。図１２に示すように、本実施形態に係るインターホン親機４において通知が発生したコンテンツボタン４２１がタッチ操作された場合、そのコンテンツボタン４２１の濃度が変化する。
【００６０】
図１１から図１２に示すような表示の変化は、コンテンツボタン４２１として異なる画像データを用意することによって行われるのではなく、１つの画像データの濃度を調整することによって行われる。即ち、ブラウザアプリケーション４０２は、図１１に示すような画面を表示するための表示情報に基づいてトップ画面をＬＣＤ６０に表示させ、操作部７０からのタッチ操作の入力情報に基づいて対応するコンテンツボタン４２１の画像濃度を調整する。換言すると、図１１に示す画面を表示するための表示情報は、操作部７０からのタッチ操作の入力情報に基づいて対応するコンテンツボタン４２１の画像濃度を調整するコマンドを含む。
【００６１】
図１３は、通知が発生していないコンテンツボタン４２１をユーザがタッチ操作した場合のトップ画面の例を示す図である。図１３においては、「ガス」のコンテンツボタン４２１がタッチ操作された場合を例としている。図１３に示すように、本実施形態に係るインターホン親機４において通知が発生していないコンテンツボタン４２１がタッチ操作された場合、そのコンテンツボタン４２１の濃度が変化する。
【００６２】
図１１から図１３に示すような表示の変化は、図１２と同様に、コンテンツボタン４２１として異なる画像データを用意することによって行われるのではなく、１つの画像データの濃度を調整することによって行われる。図１１に示す画面を表示するための表示情報が、操作部７０からのタッチ操作の入力情報に基づいて対応するコンテンツボタン４２１の画像濃度を調整するコマンドを含むことも同様である。
【００６３】
図１４は、図１２に示すように「電気」のコンテンツボタン４２１がタッチ操作され、Ｓ３０４〜Ｓ３０７の処理を経てインターホン親機４のＬＣＤ６０に表示された画面を示す図である。図１４に示すように、「電気」のコンテンツボタン４２１がタッチ操作されて表示されるコンテンツページにおいては、当日及び当月の電気の使用量と目標値とが表示される。
【００６４】
図１４に示すような表示のため、「電気」のコンテンツボタン４２１がタッチ操作され、「電気」のコンテンツページの配信要求を受け付けた場合、画面生成部１０５は、図６に示すような配信情報を取得し、図１４に示すような画面を表示するための情報を生成する。
【００６５】
例えば、図１４に示す“今日”、“今月”の使用量が“目標”の値を超えていた場合、居住者に対して電気使用量の超過を伝えることが好ましい。従って、画面生成部１０５は、Ｓ３０５において、トップ画面の表示情報を生成する際、配信情報ＤＢ１０４に格納された配信情報のうち、ログインＩＤに関連付けられた“使用量”を参照し、それを“目標”の値と比較する。そして、“使用量”が“目標”の値を超えていた場合、図１１に示すように通知が発生している場合のトップ画面を表示するための表示情報を生成する。
【００６６】
図１５は、図１０に示す「共有設備」のコンテンツボタン４２１がタッチ操作されて、Ｓ３０４〜Ｓ３０７の処理を経てインターホン親機４のＬＣＤ６０に表示された画面を示す図である。図１５に示すように、「共有設備」のコンテンツボタン４２１がタッチ操作されて表示されるコンテンツページにおいては、共有設備の予約状況を示す画面が表示される。
【００６７】
図１４に示すような表示のため、「共有設備」のコンテンツボタン４２１がタッチ操作され、「共有設備」のコンテンツページの配信要求を受け付けた場合、画面生成部１０５は、図７に示すような管理情報を取得し、図１５に示すような画面を表示するための情報を生成する。
【００６８】
図１０〜図１５に示すように、情報配信サーバ１から配信されてインターホン親機４に表示される画面は情報が取捨選択されて簡略化された画面である。これにより、ハードウェア性能が十分ではないインターホン親機４における画面表示を効率的に行うことが出来る。他方、クライアント端末３において情報配信サーバ１から配信された情報を表示するための画面は、より多くの情報が含まれる。
【００６９】
図１６は、クライアント端末３において表示されるトップ画面の例を示す図である。図１６に示すように、クライアント端末３において表示されるトップ画面においては、情報タイル１２１が複数配置され、「電気」、「ガス」、「水道」等の使用量に関する情報や、教養設備の予約に関する情報が表示される。また、詳細表示スペース１２２には、「電気」、「ガス」、「水道」等の使用量に関する情報のうち、特に通知するべきものやユーザによって選択されたものの詳細な情報が表示される。
【００７０】
情報配信サーバ１において配信要求を取得した画面生成部１０５は、配信要求に含まれる情報のうち要求元の識別子に基づいて表示情報を生成する。この際、画面生成部１０５は、図１０〜図１５に示すような簡略化された画面を表示するための表示情報と、図１６に示すように情報が豊富な画面を表示するための表示情報とのいずれかを選択して生成する。この際の処理が本実施形態に係る要旨の１つである。
【００７１】
図１７は、配信要求を受け付けた画面生成部１０５の動作を示すフローチャートである。図１７に示すように、画面生成部１０５は、まず情報配信部１０２から配信要求を取得する（Ｓ１７０１）。図１８は、本実施形態に係る配信要求に含まれる情報の例を示す図である。
【００７２】
図１８に示すように、本実施形態に係る配信要求には、配信を要求するページを示す“アクセス先ＵＲＬ”が含まれる。また、配信の要求元を示す“ログインＩＤ”と共に、そのログインＩＤを認証するための“パスワード”が含まれる。
【００７３】
また、上述したように、インターホン親機４による配信要求の場合には、インターホン親機４の“ＭＡＣアドレス”が含まれる。更に、配信要求を送信した送信元のブラウザアプリケーションを識別するための“ブラウザ識別子”が含まれる。
【００７４】
“ブラウザ識別子”は、主にインターホン親機４に含まれるブラウザアプリケーション４０２と、クライアント端末３にインストールされたウェブブラウザとを識別するために用いられる。即ち、ブラウザ識別子が、表示処理部識別子として用いられる。このブラウザ識別を参照することにより、情報配信サーバ１においては、配信要求の要求元に応じた情報ページの表示情報を生成することが可能となる。
【００７５】
配信要求を取得した画面生成部１０５は、情報を認証処理部１０３に受け渡して認証処理を実行させる（Ｓ１７０２）。本実施形態に係るログインＩＤは、インターホン親機４が設置された夫々の住宅を識別する識別子である。夫々の住宅はマンション等の集合住宅における各部屋、即ち区分である。そして、夫々のログインＩＤは、上位の識別子としてマンション等の集合住宅を識別するための識別子であるグループＩＤに関連付けられている。
【００７６】
図１９は、本実施形態に係るグループＩＤ及びログインＩＤの関連付けの構成を示す図である。図１９に示すように、個別のログインＩＤは、いずれかのグループＩＤに関連付けられており、全体としてツリー状の構成となっている。これにより、情報配信サーバ１においては、ログインＩＤに基づき、情報配信の要求元がいずれの集合住宅に属するユーザからのものであるかを判断することが可能である。図１９に示すグループＩＤとログインＩＤとの関連付け情報は認証処理部１０３によって保持されている。
【００７７】
配信要求に含まれるログインＩＤが認証されると、画面生成部１０５は、“アクセス先ＵＲＬ”に応じたページテーブルを選択する（Ｓ１７０３）。ページテーブルとは、図４において説明したレイアウトテーブルの１つであり、画面生成部１０５が要求元の識別子に基づいて表示情報を生成する際に参照する情報である。図２０は、本実施形態に係るページテーブルの例を示す図である。図２０に示すように、ページテーブルにおいては、夫々の“コンテンツ”について、複数の“アカウント＆ブラウザ組合せ”毎に「有効」か「無効」かを示す情報が関連付けられている。
【００７８】
“コンテンツ”は、図１０〜図１６において示すような「電気」、「ガス」、「水道」、「共有設備」、「温度／湿度」、「お知らせ」等の夫々の情報を示す。また、画面全体の構成として、図１０〜図１５に示すような簡略化された構成や、図１６に示すような情報量の多い構成を示す。
【００７９】
“アカウント＆ブラウザ組合せ”は、配信要求に含まれる“ブラウザ識別子”と“グループＩＤ”との組み合わせである。上述したように“ブラウザ識別子”は配信要求に含まれる情報である。また、“グループＩＤ”は認証処理部１０３による認証処理において認証処理部１０３により図１９に示す情報に基づいて判断されて取得される。
【００８０】
即ち、本実施形態に係るページテーブルは、“ブラウザ識別子”と“グループＩＤ”との組み合わせ毎に、情報ページ上に表示されるコンテンツや、情報ページの構成の取捨選択が設定された情報である。換言すると、本実施形態に係るページテーブルは、複数の“コンテンツ”夫々について、“ブラウザ識別子”毎に配信の有効／無効が関連付けられた情報であると共に、“グループＩＤ”毎に配信の有効／無効が関連付けられた情報も含む。このページテーブルが配信判断情報として用いられ、レイアウトＤＢ１０６が配信判断情報記憶部として機能する。
【００８１】
例えば、“コンテンツ”の「００１」が図１０〜図１５に示すような簡略化された構成の画面を示すものであり、「００２」が図１６に示すような情報量の多い構成の画面を示すものである場合を考える。その場合、組合せ１に係る“ブラウザ識別子”がインターホン親機４のブラウザアプリケーション４０２を示すものであれば、「００１」が「有効」であり、「００２」が「無効」に設定されている。その他、図１０に示す各コンテンツに対応する“コンテンツ”は「有効」に設定され、その他の“コンテンツ”は「無効」に設定される。
【００８２】
図２０に示すようなページテーブルは、情報配信サーバ１に対して配信が要求された情報ページ毎に設けられている。即ち、図１０〜図１３に示すようなトップ画面や、図１４に示すような「電気」の画面、図１５に示すような共有設備の画面毎に、図２０に示すようなテーブルが設けられる。そして、夫々の“コンテンツ”について“アカウント＆ブラウザ組合せ”毎に「有効」か「無効」かが設定されることにより、簡略化された画面と多くの情報が盛り込まれた画面とが、使い分けられる。
【００８３】
また、図１９において説明したように、本実施形態に係るシステムにおいて、夫々のログインＩＤは、上位の識別子としてマンション等の集合住宅を識別するための識別子であるグループＩＤに関連付けられている。従って、異なる集合住宅において配信サービスの契約内容が異なる場合、グループＩＤに応じて“コンテンツ”の「有効」／「無効」を設定することにより、異なる集合住宅毎に配信情報の内容を設定することが可能となる。
【００８４】
アクセス先ＵＲＬに応じたページテーブルと選択すると、画面生成部１０５は、“コンテンツ”を順番に選択する（Ｓ１７０４）。そして、配信要求に含まれる“ブラウザ識別子”と認証された“ログインＩＤ”に関連付けられている“グループＩＤ”との組合せに対応するセルを参照し、「有効」か「無効」かを確認する（Ｓ１７０５）。Ｓ１７０５の判断の結果、「有効」であった場合（Ｓ１７０５／ＹＥＳ）、画面生成部１０５は、その“コンテンツ”に対応したパーツテーブルを選択する（Ｓ１７０６）。
【００８５】
パーツテーブルとは、図４において説明したレイアウトテーブルの１つであり、画面生成部１０５が要求元の識別子に基づいて表示情報を生成するために用いる情報の格納先が“アカウント＆ブラウザ組合せ”毎に特定されたテーブルである。図２１は、本実施形態に係るパーツテーブルの例を示す図である。図２０に示すように、パーツテーブルにおいては、複数の“パーツ”について、複数の“アカウント＆ブラウザ組合せ”毎にファイルパスが関連付けられている。
【００８６】
“パーツ”は、画面上に表示される部品を示す情報である。例えば、「電気」のコンテンツの場合、図１０に示す標準のコンテンツボタン４２１や、図１１に示す通知が発生している場合のコンテンツボタン４２１の画像情報である。また、図１６に示すような、情報タイル１２１の画像情報である。即ち、“パーツ”は、表示情報を構成するための構成情報である。
【００８７】
即ち、本実施形態に係るパーツテーブルは、“ブラウザ識別子”と“グループＩＤ”との組み合わせ毎に、コンテンツを表示するために用いられる情報の取得先が関連付けられた情報である。換言すると、本実施形態に係るパーツテーブルは、複数の“パーツ”夫々について、“ブラウザ識別子”毎に情報の取得先が関連付けられた情報であると共に、“グループＩＤ”毎に情報の取得先が関連付けられた情報も含む。このパーツテーブルが取得先情報として用いられ、レイアウトＤＢ１０６が取得先情報記憶部として機能する。
【００８８】
画面生成部１０５は、“アカウント＆ブラウザ組合せ”に応じたセルのファイルパスを参照して、表示情報を生成するために必要なパーツの情報を取得する。また、画面生成部１０５は、上述したように、夫々のコンテンツについて通知を要する状態であるか否かを判断し、その判断結果に応じたパーツを選択して情報を取得する。そのため、画面生成部１０５は、必要な“パーツ”を選択し（Ｓ１７０７）、選択したパーツについて“ブラウザ識別子”と“グループＩＤ”との組合せに対応するセルを参照し、特定されているファイルパスから情報を取得する（Ｓ１７０８）。
【００８９】
Ｓ１７０８において、画面生成部１０５は、対象となるコンテンツに応じて配信情報ＤＢ１０４や管理情報ＤＢ１０７を参照して情報を取得する。例えば図１４に示すような情報ページを生成する場合であれば、配信情報ＤＢ１０４から電気の使用量に関する情報を取得する。その際、認証されたログインＩＤに関連付けられた情報を取得することにより、配信要求の要求元に応じた電気の使用量が表示されることとなる。
【００９０】
画面生成部は、Ｓ１７０６において選択したパーツテーブルにおいて、必要な全てのパーツについてＳ１７０７、Ｓ１７０８の処理が完了するまで処理を繰り返す（Ｓ１７０９／ＮＯ）。Ｓ１７０５の判断の結果、「無効」であった場合（Ｓ１７０５／ＮＯ）、若しくは全パーツについて処理が完了すると（Ｓ１７０９／ＹＥＳ）、選択したページテーブルの全てのコンテンツについてＳ１７０４からの処理が完了するまで処理を繰り返す（Ｓ１７１０／ＮＯ）。
【００９１】
そして、全コンテンツについて処理が完了すると（Ｓ１７１０／ＹＥＳ）、Ｓ１７０８の処理により取得した情報を用いて、配信要求されたページの表示情報を生成する（Ｓ１７１１）。これにより、図１０〜図１６において説明したような画面を表示するための表示情報が、“アカウント＆ブラウザ組合せ”に応じて生成される。このような処理により、本実施形態に係る画面生成部１０５による、配信要求の要求元に応じた表示情報の生成処理が完了する。
【００９２】
このように、本実施形態に係る情報配信サーバ１は、図２０に示すようなページテーブルを用いて画面生成部１０５が表示情報を生成する。これにより、情報配信サーバ１においては、図１０〜図１５に示すような簡略化された画面の表示情報と、図１６に示すような豊富な情報を含む画面の表示情報とを予め保存しておく必要がなくなる。
【００９３】
また、情報提供サーバ２から提供される情報の種類の増加や、管理情報ＤＢ１０７において管理する情報の種類が増加する場合がある。その場合、情報配信サーバ１から配信される情報のコンテンツを増やし、それに応じて情報ページの表示を拡張していくこととなる。
【００９４】
本実施形態に係るシステムにおいては、増加した情報の種類に応じて図２０に示すテーブルのレコードを増やすと共に、そのコンテンツを表示するためのパーツに応じて図２１に示すテーブルを増やしていけばよいことから、情報配信サーバを長時間停止することなくコンテンツの増加に容易に対応可能である。
【００９５】
以上、説明したように、本実施形態に係る情報配信システムにおいては、ブラウザ識別子に応じてコンテンツの有効／無効が関連付けられた図２０に示すページテーブルに基づき、配信要求に応じて送信する表示情報を生成する。これにより、情報ページに表示させるコンテンツを、ブラウザの違いに応じてフレキシブルに変更可能であると共に、そのために予め異なる表示情報を生成して保持しておく必要がない。
【００９６】
また、夫々のコンテンツの表示に際しては、同じくブラウザ識別子に応じて用いられる画像の情報等が関連付けられている図２１に示すパーツテーブルに基づき、画像情報を取得して表示情報を生成する。これにより、情報ページを構成するための画像の内容をブラウザの違いに応じてフレキシブルに変更可能であると共に、そのために予め異なる表示情報を生成して保持しておく必要がない。
【００９７】
このように、本実施形態に係る情報配信システムにおいては、住宅のインターホンシステムを含む複数種類の表示端末に情報を表示させる情報配信システムにおいて、端末に応じた画面の表示を可能とすると共に配信対象の情報の管理負担を軽減することができる。
【００９８】
尚、上記実施形態においては、図２０に示すように、情報配信サーバ１が配信可能な複数のコンテンツについて、“アカウント＆ブラウザ組合せ”毎に有効／無効が関連付けられている場合を例として説明した。この趣旨は、ブラウザ識別子によるブラウザに応じたコンテンツの取捨選択と、グループＩＤによる契約内容に応じたコンテンツの取捨選択である。
【００９９】
従って、図２２に示すように、“アカウント”、即ちグループＩＤ毎に夫々のコンテンツの有効／無効が関連付けられたテーブルと、図２３に示すように、ブラウザ識別子毎に夫々のコンテンツの有効／無効が関連付けられたテーブルとを個別に設けても良い。図２２、図２３の態様の場合、アカウントに応じたコンテンツの有効／無効の管理を、ブラウザ識別子とは切り分けて管理可能である。
【０１００】
また、上記実施形態においては、図２１に示すように、コンテンツを構成する画像等のパーツについて、“アカウント＆ブラウザ組合せ”毎にファイルパスが関連付けられている場合を例として説明した。この趣旨は、ブラウザ識別子による表示内容の変更と、グループＩＤによる契約内容に応じた表示内容の変更である。
【０１０１】
これについても同様に、図２４に示すように、“アカウント”、即ちグループＩＤ毎に夫々のパーツのファイルパスが関連付けられたテーブルと、図２５に示すように、ブラウザ識別子毎に夫々のパーツのファイルパスが関連付けられたテーブルとを個別に設けても良い。
【０１０２】
また、上記実施形態においては、夫々のコンテンツの有効／無効を判断するためのアカウントの情報としてグループＩＤを用いる場合を例として説明した。これは、上述したように契約内容の差異はグループＩＤに応じて生じることが多いという実情に即している。しかしながらこれは一例であり、ログインＩＤ毎、即ち夫々の住居毎にコンテンツの有効／無効を設定するような態様も可能である。
【符号の説明】
【０１０３】
１  記録者端末
２  デジタルカメラ
３  マイク
４  編集者端末
５  ユーザ端末
６  画像形成装置
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  情報取得部
１０２  関連付け部
１０３  画像解析部
１０４  候補抽出部
１０５  イベント一覧情報
１０６  候補提示部
１０７  編集処理部
【先行技術文献】
【特許文献】
【０１０４】
【特許文献１】特開２００４−２９５４０８号公報
【図１】
2016144146.tif 000003
【図２】
2016144146.tif 000004
【図３】
2016144146.tif 000005
【図４】
2016144146.tif 000006
【図５】
2016144146.tif 000007
【図６】
2016144146.tif 000008
【図７】
2016144146.tif 000009
【図８】
2016144146.tif 000010
【図９】
2016144146.tif 000011
【図１０】
2016144146.tif 000012
【図１１】
2016144146.tif 000013
【図１２】
2016144146.tif 000014
【図１３】
2016144146.tif 000015
【図１４】
2016144146.tif 000016
【図１５】
2016144146.tif 000017
【図１６】
2016144146.tif 000018
【図１７】
2016144146.tif 000019
【図１８】
2016144146.tif 000020
【図１９】
2016144146.tif 000021
【図２０】
2016144146.tif 000022
【図２１】
2016144146.tif 000023
【図２２】
2016144146.tif 000024
【図２３】
2016144146.tif 000025
【図２４】
2016144146.tif 000026
【図２５】
2016144146.tif 000027